(57)【要約】【課題】ハーフミラー１０をユーザによって任意に、しかも容易かつ綺麗に貼り剥がしできるようにする。【解決手段】バックライト４ａを備えた表示装置４の表面に貼り剥がし可能なハーフミラー１０であって、バックライト４ａが発する光を透過し、外光を反射する反射型偏光層１２と、基材１１ａの一方の面に強粘着剤１１ｂが付着し、他方の面に強粘着剤１１ｂよりも粘着力の弱い微粘着剤１１ｃが付着したテープ層１１と、が積層されている。これにより、ハーフミラー１０をユーザによって任意に、しかも容易かつ綺麗に貼り剥がしできる。【選択図】図３
2018049183.tif 000002
【特許請求の範囲】
【請求項１】
バックライトを備えた表示装置の表面に貼り剥がし可能なハーフミラーであって、
前記バックライトが発する光を透過し、外光を反射する反射型偏光層と、
基材の一方の面に強粘着剤が付着し、他方の面に前記強粘着剤よりも粘着力の弱い微粘着剤が付着したテープ層と、
が積層されていることを特徴とするハーフミラー。
【請求項２】
前記テープ層における前記基材の一方の面に付着した前記強粘着剤が前記反射型偏光層に接していることを特徴とする請求項１に記載のハーフミラー。
【請求項３】
前記テープ層における前記基材は、超複屈折材料または低複屈折材料であることを特徴とする請求項１または２に記載のハーフミラー。
【請求項４】
前記反射型偏光層における前記テープ層に接している面とは反対側の面に表面保護層が積層されていることを特徴とする請求項１から３のいずれか一項に記載のハーフミラー。
【請求項５】
前記強粘着剤はアクリル系強粘着剤であり、前記微粘着剤はシリコン系微粘着剤である、ことを特徴とする請求項１から４のいずれか一項に記載のハーフミラー。
【請求項６】
請求項１から４のいずれか一項に記載のハーフミラーと、
バックライトを備えた表示装置と、
を有することを特徴とする電子機器。
【請求項７】
前記テープ層の前記基材における前記微粘着剤が付着した面が前記表示装置に接していることを特徴とする請求項６に記載の電子機器。
【請求項８】
前記表示装置に表示された画面と同一方向にある被写体を撮像可能な撮像部をさらに備え、
前記撮像部で撮像した画像は、前記バックライトの点灯時に前記表示装置に表示されることを特徴とする請求項６または７に記載の電子機器。
【請求項９】
前記ハーフミラーは、前記バックライトの消灯時に鏡として機能することを特徴とする請求項６から８のいずれか一項に記載の電子機器。
【請求項１０】
前記強粘着剤はアクリル系強粘着剤であり、前記微粘着剤はシリコン系微粘着剤である、ことを特徴とする請求項６から９のいずれか一項に記載の電子機器。
【発明の詳細な説明】
【技術分野】
【０００１】
本発明は、ハーフミラーと、そのハーフミラーを備える電子機器に関する。
【背景技術】
【０００２】
従来、例えばカメラやカメラを備えた携帯電話、その他の電子機器に搭載され、表示モードとミラーモードとを切り替え表示可能とされた表示装置が知られている（例えば特許文献１，２参照）。
【先行技術文献】
【特許文献】
【０００３】
【特許文献１】特開２００４−１５１５５９号公報
【特許文献２】特開２００８−８６００５号公報
【発明の概要】
【発明が解決しようとする課題】
【０００４】
しかしながら、上記従来の表示装置では、ハーフミラー層として用いられる反射型偏光板が組み込まれた状態であり、ユーザが任意に貼り付けたり剥がしたりできないという問題があった。また、このような問題を解決するために、フィルム状（またはパネル状）の反射型偏光板を採用することが考えられる。しかしながら、フィルム状（またはパネル状）の反射型偏光板を表示装置に貼り付ける場合に例えば粘着力の強いアクリル粘着剤を使用すると、剥がしにくくなるという問題があった。また、アクリル粘着剤の代わりに、シリコン粘着剤を使用すると、粘着剤が柔らかいため、粘着剤による汚れが外観に露出したり、綺麗に貼り剥がししたりできない場合があった。
【０００５】
本発明の課題は、ハーフミラーをユーザによって任意に、しかも容易かつ綺麗に貼り剥がしできるようにすることである。
【課題を解決するための手段】
【０００６】
以上の課題を解決するため、本発明は、バックライトを備えた表示装置の表面に貼り剥がし可能なハーフミラーであって、
前記バックライトが発する光を透過し、外光を反射する反射型偏光層と、
基材の一方の面に強粘着剤が付着し、他方の面に前記強粘着剤よりも粘着力の弱い微粘着剤が付着したテープ層と、
が積層されていることを特徴とする。
【発明の効果】
【０００７】
本発明によれば、ハーフミラーをユーザによって任意に、しかも容易かつ綺麗に貼り剥がしできる。
【図面の簡単な説明】
【０００８】
【図１】本発明を適用した電子機器の一実施形態の構成を示すもので、カメラの概略背面図である。
【図２】電子機器の表示装置とハーフミラーの概略を示す斜視図である。
【図３】ハーフミラーを構成する要素の積層構造を示す断面図である。
【図４】テープ層を構成する要素の積層構造を示す断面図である。
【発明を実施するための形態】
【０００９】
以下、図面を参照して本発明の実施の形態について説明する。ただし、以下に述べる実施形態には、本発明を実施するために技術的に好ましい種々の限定が付されているが、本発明の技術的範囲を以下の実施形態および図示例に限定するものではない。
【００１０】
図１は、本発明を適用した電子機器の一実施形態としてカメラを示すもので、符号１は表示部筐体、符号２はレンズ部筐体、符号３はフレーム、符号４は表示部、符号６は第１ヒンジ軸、符号７は第２ヒンジ軸である。
表示部筐体１は表示装置４を備えており、レンズ部筐体２は撮像部（図示せず）を備えている。表示部筐体１とレンズ部筐体２は、第１ヒンジ軸６を介して互いに回動可能に結合されている。フレーム３は、表示部筐体１とレンズ部筐体２を囲む形状に形成され、レンズ部筐体２に対し、第１ヒンジ軸６と直交する一対の第２ヒンジ軸７，７を介して回動可能に結合されている。
このようなカメラは、レンズ部筐体２に対しフレーム３を１８０度開いて、表示部４とレンズ部を反対方向に向けて自分以外の他者を撮影したり、表示部４とレンズ部を同方向に向けて自分撮りしたりすることができる。
なお、撮像部は、レンズ部筐体２から外側に露出するレンズ部５と、レンズ部筐体２の内部に設けられる電子撮像部やレンズ駆動部等を備える。このような撮像部は、表示装置４に表示された画面と同一方向にある被写体を撮像できる。
【００１１】
図２は、表示装置４と、この表示装置４の表面に貼り剥がし可能なハーフミラーの概略を示す図であり、符号１０はハーフミラーである。
なお、本発明におけるハーフミラーは、詳しくは後述するが、表示装置４のバックライトが発する光は透過し、外光は反射するものである。
ハーフミラー１０は、表示装置４の表面における面積と略等しい面積に設定され、表示装置４の表面を被覆することができる。
【００１２】
表示装置４は、バックライト４ａと、輝度向上フィルム４ｂと、第１偏光板４ｃと、液晶パネル４ｄと、第２偏光板４ｅと、を有する。そして、これらの部材４ａ〜４ｅは略等しい面積に設定され、互いに積層した状態となっている。
この表示装置４には、電子機器における制御部（図示せず）の制御に基づいて、撮像部で撮像した画像やメニュー画面、操作画面などを表示することができる。
【００１３】
バックライト４ａは、表示装置４において最も下層（表示部筐体１の内部側）に位置しており、例えばＬＥＤ（Light Emitting Diode）アレイなどから構成された光源装置である。そして、電子機器における制御部の制御に基づいて、表示装置４での画像等の表示に必要な光源としての発光動作を行っており、発光（点灯）および消灯、輝度レベルの調整が可能となっている。
【００１４】
輝度向上フィルム４ｂは、屈折率の異なる樹脂フィルムの多重構造となっており、光の反射特性を利用して偏光方向を整えることができる。すなわち、バックライト４ａに重ねられて、当該バックライト４ａからの射出光のうち自身の偏光方向と異なる光をバックライト４ａ側に戻し、偏光方向を整えることができる。
また、二重反射と光の屈折率を利用して光線を集約させ輝度を上昇させることができるため、バックライト４ａの光量の抑制やランプ本数を削減でき、省エネ・省電力効果を発揮する。
【００１５】
第１偏光板４ｃは、輝度向上フィルム４ｂに重ねられ、特定方向に偏光または偏波した光だけに限って通過させる板である。
また、第２偏光板４ｅは、液晶パネル４ｄに重ねられて外側（視認側）に位置し、第１偏光板４ｃと直交する方向に偏光または偏波した光だけに限って通過させる板である。
液晶パネル４ｄは、これら第１偏光板４ｃと第２偏光板４ｅに挟まれた状態となるように輝度向上フィルム４ｂに重ねられている。この液晶パネル４ｄは、液晶の分子の並びが９０度ねじれて偏光方向を持ったものであり、電圧をＯＮ−ＯＦＦすることで光を透過させたり、遮断したりすることができる。
【００１６】
図３は、ハーフミラー１０を構成する要素の積層構造を示す断面図であり、テープ層１１と、反射型偏光層１２と、表面保護層１３と、を備える。そして、これらの部材１１〜１３は略等しい面積に設定され、互いに積層した状態となっている。
【００１７】
テープ層１１は、基材１１ａの一方の面に強粘着剤１１ｂが付着し、他方の面に強粘着剤よりも粘着力の弱い微粘着剤１１ｃが付着してなる層である。
基材１１ａを構成する材料は、超複屈折材料または低複屈折材料であり、本実施形態では超複屈折材料（SRF：Super Retardation Film）が採用されている。超複屈折材料は、干渉領域をはるかに超えた位相差を有するフィルムであり、光源と組み合わせて利用することで、複屈折による着色（虹模様：虹ムラ）を解消できるとともに、表示装置４から発せられる光をより自然光に近い状態へと変換できる。
一方、低複屈折材料（ゼロ複屈折材料ともいう）は、分極率異方性の異なるモノマーの共重合により、ポリマー鎖内で異方性を打ち消すことで複屈折をゼロにするものであり、超複屈折材料と同様に複屈折による着色（虹模様：虹ムラ）を解消できる。そのため、超複屈折材料に替えて、この低複屈折材料を採用してもよい。
【００１８】
強粘着剤１１ｂは、例えばアクリル系の強粘着剤であり、光学用粘着剤であって光学特性に優れ、強粘着性を有するため、基材１１ａに貼り付けられた場合に極めて剥がれにくくなるという利点がある。
このアクリル系強粘着剤１１ｂは、基材１１ａにおける反射型偏光層１２側の面に付着している。そして、ハーフミラー１０として製造された時に、反射型偏光層１２に接した状態となっている。これにより、反射型偏光層１２に対してテープ層１１を強固に貼り付けることができる。
【００１９】
微粘着剤１１ｃは、例えばシリコン系の微粘着剤であり、アクリル系強粘着剤１１ｂと同様に光学用粘着剤であって光学特性に優れる。また、微粘着性を有するため、ハーフミラー１０を表示装置４に貼る際に貼りやすく、剥がす際に剥がしやすいという利点がある。
このシリコン系微粘着剤１１ｃは、基材１１ａにおける反射型偏光層１２側とは反対側の面に付着している。
なお、アクリル系強粘着剤１１ｂ、シリコン系微粘着剤１１ｃを基材１１ａに付着させる際は、塗布、吹き付け、または貼り合わせにより行われる。
【００２０】
次に、反射型偏光層１２は、バックライト４ａが発する光を透過し、外光を反射する層であり、基材１２ａと、この基材１２ａに付着させられるアクリル系強粘着剤１２ｂと、を有する。なお、アクリル系強粘着剤１２ｂは、テープ層１１におけるアクリル系強粘着剤１１ｂと同様の機能を有するものが採用されている。
基材１２ａは、輝度向上フィルムの一つであって、かつ、一方の直線偏光を透過し、これと直交する直線偏光を反射する機能を有する反射型偏光フィルムが採用されており、視野角を妨げることなく、液晶の輝度を向上できる。なお、反射型偏光板としては、例えば、住友スリーエム株式会社製のDBEF（登録商標）（Dual Brightness Enhancement Film）シリーズの輝度向上フィルムが好適に用いられる。
【００２１】
表面保護層１３は、反射型偏光層１２におけるテープ層１１に接している面とは反対側の面に積層されている。すなわち、この表面保護層１３は、反射型偏光層１２におけるアクリル系強粘着剤１１ｂに対して貼り付けられている。
この表面保護層１３としては強化ガラスが採用されているが、通常のガラスや保護フィルムでもよいものとする。
このような表面保護層１３が反射型偏光層１２に積層されることにより、反射型偏光層１２を保護できるとともに、ハーフミラー１０が貼り付けられた表示装置４を保護することもできる。
【００２２】
ハーフミラー１０は、表示装置４側にテープ層１１が位置し、テープ層１１におけるシリコン系微粘着剤１１ｃが最も表示装置４側に近い位置となるように配置されている。例えば製品として流通する時など、表示装置４に貼り付ける前にハーフミラー１０を取り扱う際にはシリコン系微粘着剤１１ｃに対して、このシリコン系微粘着剤１１ｃを保護するセパレータ１４（離型紙ともいう）が貼り付けられている。セパレータ１４は、表示装置４への貼り付け時に剥がされる。
なお、例えばハーフミラー１０の製造時・製造前などに、テープ層１１のみを取り扱う場合には、図４に示すように、アクリル系強粘着剤１１ｂ側にもセパレータ１４が貼り付けられて、このアクリル系強粘着剤１１ｂを保護している。
【００２３】
以上のように構成されたハーフミラー１０が表示装置４に貼り付けられる場合は、セパレータ１４が剥がされ、テープ層１１のシリコン系微粘着剤１１ｃが付着した面が表示装置４に接した状態となるように貼り付けられる。
そして、このようにテープ層１１におけるシリコン系微粘着剤１１ｃが付着した面が表示装置４に接しているので、ハーフミラー１０の貼り剥がしを容易に行うことができる。
【００２４】
表示装置４にハーフミラー１０が貼り付けられた場合、このハーフミラー１０は、バックライト４ａの消灯時に鏡として機能する。すなわち、電子機器を使用しない時にはミラーモードとなり、ハーフミラー１０を鏡として使用できるので利便性に優れる。
また、バックライト４ａの点灯時には当該バックライト４ａからの光を透過させて、表示装置４に表示される画面をユーザに見せることができる。カメラである電子機器においては、撮像部で撮像した画像が、バックライト４ａの点灯時に表示装置４に表示される。すなわち、撮像部で撮像した画像を表示装置４に表示する場合は、バックライト４ａを点灯させるだけで、ミラーモードからの切り替えを容易に行うことができる。
【００２５】
本実施形態におけるハーフミラー１０は、偏光方向を持った液晶パネル４ｄと組み合わせて用いることで、高透過率を維持したままミラー感を得ることができる。なお、このハーフミラー１０における反射率は約５０％であり、透過率は９０％以上となっている。また、このハーフミラー１０に必要な特性としては、液晶画面の色調変化や画質劣化が無いこと、鏡として見た時に明るく、色味変化が無いこと、タッチパネル動作不良や電波障害が無いこと、が挙げられる。
【００２６】
以上、実施形態のカメラによれば、表示装置４の表面に対し、テープ層１１におけるシリコン系微粘着剤１１ｃが接するようにしてハーフミラー１０を貼り付けて使用することで、ユーザの任意でハーフミラー１０の貼り剥がしを容易に行うことができる。
また、シリコン系微粘着剤１１ｃは基材１１ａに付着させて用いられるため、シリコン系微粘着剤１１ｃのように柔らかい粘着剤でも、基材１１ａに安定して付着した状態となる。これにより、シリコン系微粘着剤１１ｃによる汚れが外観に露出しにくくなり、ハーフミラー１０を容易かつ綺麗に貼り剥がしできる。
さらに、テープ層１１の基材として、従来のようなＰＥＴ基材ではなく、超複屈折材料または低複屈折材料（本実施形態では超複屈折材料）からなる基材１１ａが用いられているため、偏光性が損なわれることなく、例えば斜め視認時などに虹模様（いわゆる虹ムラ）が現れることを防ぐことができる。また、このような超複屈折材料または低複屈折材料を備えたテープ層１１と、反射型偏光層１２と、バックライト４ａを備えた表示装置４とを組み合わせて用いることで高い透過率を実現できるので、液晶の輝度が損なわれにくい。
【００２７】
（変形例）
以上の実施形態においては、カメラとしたが、本発明はこれに限定されるものではなく、カメラを備える携帯電話など他の電子機器であってもよい。
また、本実施形態では表示装置４もハーフミラー１０も矩形状に形成されているが、これに限られるものではなく、形状や大きさ等も任意であり、その他、具体的な細部構造等についても適宜に変更可能であることは勿論である。
【００２８】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
バックライトを備えた表示装置の表面に貼り剥がし可能なハーフミラーであって、
前記バックライトが発する光を透過し、それ以外の光を反射する反射型偏光層と、
複屈折材料からなる基材の一方の面にアクリル系強粘着剤が付着し、他方の面にシリコン系微粘着剤が付着したテープ層と、
が積層されていることを特徴とするハーフミラー。
＜請求項２＞
前記テープ層における前記基材の一方の面に付着した前記アクリル系強粘着剤が前記反射型偏光層に接していることを特徴とする請求項１に記載のハーフミラー。
＜請求項３＞
前記テープ層における前記基材は、超複屈折材料または低複屈折材料であることを特徴とする請求項１または２に記載のハーフミラー。
＜請求項４＞
前記反射型偏光層における前記テープ層に接している面とは反対側の面に表面保護層が積層されていることを特徴とする請求項１から３のいずれか一項に記載のハーフミラー。
＜請求項５＞
前記強粘着剤はアクリル系強粘着剤であり、前記微粘着剤はシリコン系微粘着剤である、ことを特徴とする請求項１から４のいずれか一項に記載のハーフミラー。
＜請求項６＞
請求項１から４のいずれか一項に記載のハーフミラーと、
バックライトを備えた表示装置と、
を有することを特徴とする電子機器。
＜請求項７＞
前記テープ層の前記基材における前記シリコン系微粘着剤が付着した面が前記表示装置に接していることを特徴とする請求項６に記載の電子機器。
＜請求項８＞
前記表示装置に表示された画面と同一方向にある被写体を撮像可能な撮像部をさらに備え、
前記撮像部で撮像した画像は、前記バックライトの点灯時に前記表示装置に表示されることを特徴とする請求項６または７に記載の電子機器。
＜請求項９＞
前記ハーフミラーは、前記バックライトの消灯時に鏡として機能することを特徴とする請求項６から８のいずれか一項に記載の電子機器。
＜請求項１０＞
前記強粘着剤はアクリル系強粘着剤であり、前記微粘着剤はシリコン系微粘着剤である、ことを特徴とする請求項６から９のいずれか一項に記載の電子機器。
【符号の説明】
【００２９】
１  表示部筐体
２  レンズ部筐体
３  フレーム
４  表示装置
４ａ  バックライト
４ｂ  輝度向上フィルム
４ｃ  第１偏光板
４ｄ  液晶パネル
４ｅ  第２偏光板
６  第１ヒンジ軸
７  第２ヒンジ軸
１０  ハーフミラー
１１  テープ層
１１ａ  基材
１１ｂ  アクリル系強粘着剤
１１ｃ  シリコン系微粘着剤
１２  反射型偏光層
１２ａ  基材
１２ｂ  アクリル系強粘着剤
１３  表面保護層
１４  セパレータ
【図１】
2018049183.tif 000003
【図２】
2018049183.tif 000004
【図３】
2018049183.tif 000005
【図４】
2018049183.tif 000006